(57)【要約】      （修正有）【課題】可動演出役物及びその前側に導光板を設けた構成にあって、導光板の表面を手垢や指紋等で汚すことなく、導光板の後側に設けた可動演出役物に対して設けられる所定部材を容易に取り外すことができる遊技機を提供する。【解決手段】遊技球が流下可能な遊技領域に枠状の装飾枠１３が固定され、装飾枠１３の内側に形成される非遊技領域の開口内に可動演出役物を備える遊技機において、装飾枠１３に設置される光源と、装飾枠１３の開口を前側から塞ぐように装飾枠１３に着脱可能に固定され、光源の光を端面から入光して表面に所定の意匠を表示可能な導光板２１と、導光板２１の端部に設けられ、把持可能な把持部材２２と、導光板２１を装飾枠１３に対して前側から着脱可能とする着脱固定部材２３とを有し、導光板２１を装飾枠１３から取り外すことによって、開口の前側から可動演出役物に対して設けられた所定部材を取り出し可能とする。【選択図】図４
2017055784.tif 000002
【特許請求の範囲】
【請求項１】
遊技球が流下可能な遊技領域に枠状の装飾枠が固定され、
前記装飾枠の内側に形成される非遊技領域の開口内で移動可能として所定の演出動作を行う可動演出役物を備える遊技機において、
前記装飾枠に設置される光源と、
前記装飾枠の開口を前側から塞ぐように前記装飾枠に着脱可能に固定され、前記光源の光を端面から入光して表面に所定の意匠を表示可能な導光板と、
前記導光板の端部に設けられ、把持可能な把持部材と、
前記導光板を前記装飾枠に対して前側から着脱可能とする着脱固定部材と、を有し、
前記装飾枠を前記遊技領域に固定した状態で、前記導光板を前記装飾枠から取り外すことによって、前記開口の前側から前記可動演出役物に対して設けられた所定部材を取り出し可能としたことを特徴とする遊技機。
【請求項２】
前記所定部材は、
初期位置に保持する前記可動演出役物の動きを抑えるためのがた止め部材であることを特徴とする請求項１記載の遊技機。
【請求項３】
前記把持部材は、
所定数の前記導光板を前後方向に重畳して固定可能に設けられ、
前記装飾枠と一体となるような意匠を施した前記把持部材を、前記導光板の端面から入光した前記光源の光を遮らない位置に設けたことを特徴とする請求項１又は２記載の遊技機。
【発明の詳細な説明】
【技術分野】
【０００１】
本発明は、可動演出役物及びその前側に配置される導光板を備えた遊技機に関する。
【背景技術】
【０００２】
従来、パチンコ機等の遊技機において、遊技盤に導光板（透明アクリル板）を設置すると共に、導光板の端面に光源の光を入光させることで導光板の表面に所定の意匠を表示させて、遊技中の演出効果を高めるようにしたもの（例えば、特許文献１参照）、及び遊技盤に可動演出役物（所定のキャラクタを模った物体又は液晶ディスプレイ等）を配置し、当該可動演出役物を遊技状況に応じた態様で動作させることで、遊技中の演出を高めるようにしたものが提案されている（特許文献２参照）。
【０００３】
また、可動演出役物を備えた遊技機においては、例えば、遊技機を生産拠点から遊技店に搬送するまでの期間、可動演出役物が振動等によって妄りにがた付いて破損しないようにするため、発泡スチロール等の緩衝材を可動演出役物が配置されるところの隙間に入れ込むような手段が講じられている。
【先行技術文献】
【特許文献】
【０００４】
【特許文献１】特開２０１４−０９７２８９公報
【特許文献２】特開２０１５−０４７４２９公報
【発明の概要】
【発明が解決しようとする課題】
【０００５】
また、遊技中の演出をさらに高める方法として、導光板を可動演出役物の前面を覆うように遊技盤に固定することで、遊技が所定の遊技状態になったとき、可動演出役物の演出動作と、導光板の表面に所定の意匠を表示させる表示演出とを並行して行うようにすることが考えられる。
しかし、このような構成を採用した場合には、可動演出役物のがた付きを抑止するための可動演出役物に対して設けられた所定部材、例えば緩衝材を、遊技盤に固定される導光板の後側に設置したことによって、遊技機を遊技店に据え付ける際、緩衝材を遊技盤から取外すことができるように、導光板と遊技盤との間に緩衝材の大きさに対応する隙間を設ける必要性があり、また、同様に可動演出役物に対して設けられた所定部材、例えば可動演出役物の各部品（レンズ又はＬＥＤ等）を可動演出役物の検査、修理、交換等をすることができるように、導光板と遊技盤との間に検査、修理、交換等を行うための隙間を設ける必要がある。このため、導光板の形状、設置位置、及び大きさが制限され、満足できる演出効果を得ることができない。
【０００６】
本発明は、かかる課題に鑑みなされたものであって、可動演出役物及びその前側に導光板を設けた構成にあって、導光板の表面を手垢や指紋等で汚すことなく、導光板の後側に設けた可動演出役物に対して設けられる所定部材を容易に取り外すことができるようにした遊技機を提供することを目的とする。
【課題を解決するための手段】
【０００７】
本発明によると、上記課題は、次のようにして解決される。
第１の発明は、遊技球が流下可能な遊技領域に枠状の装飾枠が固定され、前記装飾枠の内側に形成される非遊技領域の開口内で移動可能として所定の演出動作を行う可動演出役物を備える遊技機において、前記装飾枠に設置される光源と、前記装飾枠の開口を前側から塞ぐように前記装飾枠に着脱可能に固定され、前記光源の光を端面から入光して表面に所定の意匠を表示可能な導光板と、前記導光板の端部に設けられ、把持可能な把持部材と、前記導光板を前記装飾枠に対して前側から着脱可能とする着脱固定部材と、を有し、前記装飾枠を前記遊技領域に固定した状態で、前記導光板を前記装飾枠から取り外すことによって、前記開口の前側から前記可動演出役物に対して設けられた所定部材を取り出し可能とする。
【０００８】
上記構成により、装飾枠を遊技領域に固定した状態で、導光板を装飾枠から取外す際、把持部材を把持することで、導光板を直接触れることなく装飾枠から取外すことができるため、導光板の表面を手垢や指紋等で汚すこともなく、また導光板の形状、大きさが制限されることもない。
【０００９】
第２の発明は、第１の発明において、前記所定部材は、初期位置に保持する前記可動演出役物の動きを抑えるためのがた止め部材である。
【００１０】
上記構成により、遊技機を遊技店に搬送するまでの期間、破損等することなく確実に運ぶことができる。
【００１１】
第３の発明は、第１の発明又は第２の発明において、前記把持部材は、所定数の前記導光板を前後方向に重畳して固定可能に設けられ、前記装飾枠と一体となるような意匠を施した前記把持部材を、前記導光板の端面から入光した前記光源の光を遮らない位置に設ける。
【００１２】
上記構成により、装飾枠と導光板に設けた把持部材とが、一体的で調和がとれたものなる。
【発明の効果】
【００１３】
本発明によると、導光板の表面を手垢や指紋等で汚すことなく、導光板の後側に設けた可動演出役物に対して設けられる所定部材を容易に取外すことができる。
【図面の簡単な説明】
【００１４】
【図１】本発明に係る遊技機の前方から見た斜視図である。
【図２】同じく遊技盤の正面図である。
【図３】同じく導光板ユニット及び装飾枠の正面図である。
【図４】同じく導光板ユニットを装飾枠から外した状態の前方から見た斜視図である。
【図５】導光板ユニットの平面図である。
【図６】図３におけるVI-VI線断面図である。
【図７】本発明に係る特徴部分を横から見た状態の模式図である。
【発明を実施するための形態】
【００１５】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１６】
図１に示すように、遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、内枠３の左枠部に上下の蝶番（図示略）により垂直軸回りに開閉自在に取り付けられ、遊技盤４の前面を遊技者が透視し得るように閉塞するガラス板（又は合成樹脂板）５ａを嵌め込んだガラス枠５と、遊技盤４の裏側にビス止めによって固定されるセット板３０と、ガラス枠５の下部に設けられ、遊技盤４の裏側に設置される賞球払出装置（図示略）から払い出される遊技球を貯留するための受皿部６と、ガラス枠５の下部裏側に設けられ受皿部６に貯留されている遊技球を導入して遊技盤４の前面に形成される略円形の遊技領域４ａ（図２参照）へ向けて発射するための発射装置（図示略）と、受皿部６に貯留された遊技球を遊技領域４ａへ打ち出す際に操作される発射ハンドル７と、ガラス枠５の上部に設けられ遊技状態に応じた効果音を出力するスピーカ装置８と、ガラス枠５の前側に設けられ遊技状況に応じて点灯、消灯及び点滅する照明演出を行う電飾装置９と、遊技盤４の裏側に設置される表示装置１０（図２参照）と、遊技盤４の後側に設置され、遊技進行及び遊技演出を制御するためのマイクロコンピュータにより構成される各種制御装置（図示略）等と、を備える。
【００１７】
表示装置１０は、例えば液晶ディスプレイから構成され、ガラス板５ａを透して遊技者が視認可能な表示画面１０ａに遊技に係る情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１８】
図２に示すように、遊技盤４は、アクリル樹脂等の透明合成樹脂板により正面視ほぼ方形に形成されると共に、前面には、内外のガイドレール１２、１２によって包囲される円形（楕円形を含む）の遊技領域４ａが形成される。受皿部６に貯留された遊技球は、発射ハンドル７が回転操作されることにより、発射装置から発射されて、内外のガイドレール１２、１２により左斜め上方へ誘導されて、遊技領域４ａの左上部から遊技領域４ａ内に導入されて流下する。
【００１９】
遊技盤４の遊技領域４ａの内側である略中央部には、表示装置１０の表示画面１０ａ及び後述の可動演出役物１１、１１の表示画面に表示される演出図柄を視認し得るように開口する表示窓１３ａが形成されると共に、表面に各種模様が施された正面視で枠状の装飾枠１３がビス止めによって固定される。また、装飾枠１３における表示窓１３ａの開口内は非遊技領域とする。
【００２０】
装飾枠１３は、表示窓１３ａを包囲する枠状を呈し、その前側には、表示窓１３ａの略全域を閉塞し得るような形状の透明アクリル板により構成される導光板２１が後述のような構成をもって着脱可能に固定される。
なお、装飾枠１３は、遊技領域４ａに固定されるものであるから、遊技領域４ａを装飾する以外にも、遊技領域４ａを流下する遊技球の流下方向を変化させたり遊技球を所定の方向へ誘導したりする機能をも有している。
【００２１】
表示装置１０の前側で、導光板２１の後側には、遊技状況に応じた演出動作及び演出画像を表示可能な液晶ディスプレイにより構成される上下の可動演出役物１１、１１が設置される。なお、可動演出役物１１、１１は、遊技盤４の裏面とセット板３０との間に設置されるモータを含む駆動機構（図示略）によって導光板２１の裏側で動作するものであるが、駆動機構及び動作は、本発明に直接関係しないので、それらの詳細説明は省略する。
【００２２】
また、導光板２１の裏面と可動演出役物１１との間の空間には、遊技機１の生産拠点から遊技店に搬送されるまでの期間、搬送中の振動等による可動演出役物１１、１１のがた付きを抑えるために、可動演出役物１１、１１を初期位置（上下の可動演出役物１１が上下方向に連なって配置されている位置）に保持させ、所定部材であるがた止め部材を構成する緩衝材２５が収容される（図７参照）。この緩衝材２５は、遊技機１が遊技店に設置される場合には、遊技店において後述のような作業をもって取り出される。
本実施形態では、所定部材を緩衝材２５としたが、導光板２１の裏面に設ける可動演出役物１１の各部品、例えば装飾部材の一部であるレンズ又はＬＥＤや、可動演出役物１１に動力を伝達させるためのリンク部材等としてもよく、これらの装飾部材の各部品を含む可動演出役物の検査、流離、交換等を行う場合には、後述のように導光板を取り外すことで容易に取り外し等の作業を行うことが可能となる。
【００２３】
なお、可動演出役物１１、１１を液晶ディスプレイとして、その前面の表示画面に遊技に係る情報である各種キャラクタや左列、中列、右列の３列の数字等で構成される演出図柄（図示略）を変動、停止表示させる構成とした場合には、表示装置１０は必要に応じて省略される場合もある。
【００２４】
さらに、遊技領域４ａには、遊技領域４ａに打ち込まれた遊技球の流下方向を変化させる多数の遊技釘（図示略）及び風車（図示略）と、表示窓１３ａの下方にあって、遊技領域４ａの左領域（装飾枠１３の左側の領域）を流下する遊技球のうち装飾枠１３の左部に設けられたワープ孔１３ｂに進入したワープ球（遊技球）を中央に向けて導入し、当該ワープ球を左右及び前後方向へ転動させ得るステージ１３ｃと、ステージ１３ｃの下方にあって、遊技領域４ａを流下する遊技球及びステージ１３ｃの前側から落下したワープ球が入球可能な第１始動入賞口１４と、第１始動入賞口１４の下方にあって、遊技領域４ａを流下する遊技球が入球可能な状態及び入球不能な状態に変化可能な第２始動入賞口１５と、第２始動入賞口１５の下方にあって、遊技球の第１始動入賞口１４及び第２始動入賞口１５への入賞を契機に行われる抽選の結果に基づいて遊技状態が通常の遊技状態（以下、通常遊技状態という）から遊技者にとって有利な遊技状態（以下、大当り遊技状態）に移行した場合、遊技領域４ａを流下する遊技球が入球不能な状態から入球可能な状態に変化可能な大入賞口１６と、装飾枠１３の上面及び右外周面に形成され、遊技球を遊技領域４ａの右領域（装飾枠１３の右側の領域）へ誘導可能な右打ち通路１３ｄと、遊技領域４ａの右領域（装飾枠１３の右側の領域）であって、右打ち通路１３ｄを通過した遊技球が通過可能なスルーチャッカ１７と、遊技領域４ａの最下流にあって、アウト球（いずれの入賞口にも入球しなかった遊技球）を遊技盤４の裏面側に排出するアウト口１８と、が設けられる。
【００２５】
第１始動入賞口１４、第２始動入賞口１５、及び大入賞口１６の内部には、それぞれ遊技球の入球を検知するための、検知センサ（図示略）が設けられ、それぞれの検知センサが遊技球の通過を検知すると、所定個数の遊技球が賞球として賞球払出装置から払い出される。
なお、遊技球が第１始動入賞口１４、第２始動入賞口１５、及び大入賞口１６に入球し、各入賞口１４、１５、１６に設けた各検知センサが遊技球を検知したことを「入賞」という。
【００２６】
第１始動入賞口１４は、常時上向きに開口した遊技球入賞口である。
第２始動入賞口１５は、左右一対の開閉部材（電動チューリップ）１５ａが、前後方向の軸に回動可能であって、外側側方に開放することにより、遊技球の入球を可能とする。
また、大入賞口１６は、大当り遊技状態に移行した場合、遊技球が入球不能な閉鎖状態から入球可能な開放状態に移動可能な開閉部材１６ａが左右方向の軸に回動可能であって、前方に開放することにより、遊技球の入球を可能とする。
【００２７】
通常遊技状態において、受皿部６に貯留されている遊技球が発射装置により発射され、遊技領域４ａに打ち込まれた遊技球が第１始動入賞口１４に入賞し、これを契機に、制御装置により実行される大当たり抽選の結果、所定の変動パターンに基づいて、表示装置１０の表示画面１０ａ又は可動演出役物１１の表示画面に演出図柄を所定の演出態様で表示する視覚演出を所定時間行った後、リーチを経由して演出図柄が特定の組み合わせで確定表示されて、大当たりが生起した場合には、大入賞口１６が大当たり遊技状態となって開閉部材１６ａが前方に回動することで開放する。なお、リーチが発生しているときには、リーチ演出として、後述の光源２４ａの光を導光板２１の上端面２１ｂから入光させることで導光板２１の表面に所定の意匠を表示させたり、可動演出役物１１、１１を動作させると共にそのときのリーチの形態に応じた演出画像を表示させたりすることで、遊技の盛り上げ演出を行う。
【００２８】
そして、大入賞口１６が開放してから所定時間（例えば、３０秒）経過するか、所定数（例えば、１０個）の遊技球が大入賞口１６に入球すると、１ラウンド（大入賞口１６が開放してから閉鎖されるまでの期間）が終了し、開閉部材１６ａを閉鎖状態にさせて大入賞口１６を一旦閉鎖する。そして、大入賞口１６が閉鎖された状態にあるラウンド間インターバル（例えば、５秒）が経過すると、次のラウンドに進んで大入賞口１６を再度開放する。これを最大ラウンド（例えば、１５ラウンド）まで継続する。
【００２９】
これにより、大当たり遊技状態のときには、大入賞口１６に多数の遊技球が入賞可能となり、払出装置から賞球として大量の遊技球が短時間に受皿部６に払い出される。
【００３０】
次に、本発明の特徴部分である装飾枠１３、導光板２１、当該導光板２１に固定される左右の把持部材２２、２２及び導光板２１を装飾枠１３に着脱可能に固定するための着脱固定部材２３を含む導光板ユニット２０について説明する。
【００３１】
図３は、導光板２１を装飾枠１３に取り付けた形態の導光板ユニット２０の正面図、図４は、導光板２１を装飾枠１３から取り外した形態の導光板ユニット２０の斜め前方から見た斜視図、図５は、導光板ユニット２０の平面図、図６は、図３におけるVI−VI線横断面図、図７は、本発明に係る特徴部分を説明するための遊技機１を横から見た状態の模式図である。
装飾枠１３は、遊技盤４の表示窓１３ａを包囲するように遊技領域４ａにビス止めにより固定されると共に、図３に示すように、上部には、複数の光源（例えば、ＬＥＤ）２４ａを左右方向に並設した光源基板２４が取り付けられる。
【００３２】
光源２４ａは、装飾枠１３に固定される導光板２１の上端面２１ｂに対向し得るように配置され、その光を上端面２１ｂから導光板２１に入光可能である。なお、導光板２１の上端面２１ｂから入光した光源２４ａの光は、下方へ向けて直進する。また、装飾枠１３には、図４及び図６に示すように、前方へ円筒状に突出する４個のボス部１３ｆが設けられる。このボス部１３ｆの前面には、着脱固定部材２３の後述のグロメット２３２が前方から挿入、引抜き可能な差込孔１３ｅが設けられている。
なお、本実施形態においては、図６に示すように、導光板２１を互いに対向し、前後方向に重畳する２枚としているが、導光板２１は、２枚とする必要はなく１枚としても良い。
【００３３】
導光板２１は、透明アクリル樹脂製で、装飾枠１３の開口の略全域を塞ぐ大きさの形状を呈して、着脱固定部材２３をもって、装飾枠１３に前側から着脱可能に固定されると共に、表面には所定の意匠が模られるように多数の極小の凹部が形成される。導光板２１が装飾枠１３に固定された状態においては、導光板２１の上端面２１ｂから入光した光源２４ａの光が凹部で屈折拡散して発光することで表面に所定の意匠が表示される。また、導光板２１には、装飾枠１３のそれぞれのボス部１３ｆの外周に前側から外嵌することで、導光板２１を装飾枠１３に固定させる機能を有する固定部を形成する差込孔２１ａが４個形成される。この差込孔２１ａは、導光板２１の上端面２１ｂから入光した光源２４ａの光を遮らない部位である導光板２１の左右両側部に２個ずつ設けられる。
【００３４】
左右の把持部材２２、２２は、導光板２１と別材料で形成されると共に所定の色彩、模様等によって装飾枠１３と一体となるような意匠が施されて導光板２１の左右の両側端部に上下方向に沿う形状を呈し、図５、６から理解できるように、各導光板２１、２１の左右の両側端部を前後から挟み込むようにして導光板２１、２１の両端部に固定される。
また、各把持部材２２、２２には、装飾枠１３の差込孔１３ｅの前側に重なる位置にあって、着脱固定部材２３のグロメット２３２が貫通する貫通孔２２ａが設けられている。また、左右の把持部材２２、２２は、導光板２１の上端面２１ｂから入光した光源２４ａの光を遮らないようにして導光板２１の左右両側部に固定される。
【００３５】
着脱固定部材２３は、図６に示すように、合成樹脂製の鍔付き筒状のグロメット２３２と、前後方向を向く合成樹脂製のスナップピン２３１とから構成される。グロメット２３２は、径方向へ弾性変形し得るようにスリット（図示略）が設けられた筒部２３２ａと、筒部２３２ａの前端に設けられる鍔部２３２ｂとを有する。スナップピン２３１は、グロメット２３２の筒部２３２ａ内に挿入される軸部２３１ａと、軸部２３１ａの前端に形成される鍔状の摘み部２３１ｂとを有する。
【００３６】
遊技領域４ａに固定された装飾枠１３に導光板２１を固定するには、図６に示すように、導光板２１の差込孔２１ａを前側から装飾枠１３のボス部１３ｆに外嵌すると共に、スナップピン２３１の軸部２３１ａをグロメット２３２の筒部２３２ａに浅く挿入した状態で、筒部２３２ａを前方から把持部材２２の貫通孔２２ａ及びボス部１３ｆの差込孔１３ｅに挿入した後、軸部２３１ａを深く押しこむことで、筒部２３２ａを拡径してボス部１３ｆの差込孔１３ｅに係合させる。これにより、着脱固定部材２３をもって、導光板２１を前側から装飾枠１３に対して固定することができる。
【００３７】
また、遊技店に新規に搬入された遊技機１においては、導光板２１と可動演出役物１１との間の空間に収容された緩衝材２５を取り出す必要がある。この場合には、スナップピン２３１の摘み部２３１ｂを前方に引っ張って、軸部２３１ａをグロメット２３２の筒部２３２ａから引き抜くと、拡径状態の筒部２３２ａが縮径して、装飾枠１３の差込孔１３ｅから、筒部２３２ａが引き抜き可能となる。これにより、装飾枠１３を遊技領域４ａに固定したまま、導光板２１を装飾枠１３から取り外して、緩衝材２５を簡単に取り出すことができる。また、緩衝材２５を取り出した後は、前述のような要領をもって、導光板２１を再び装飾枠１３に固定する。
【００３８】
また、導光板２１を装飾枠１３に着脱する際、遊技店において、作業者が導光板２１の左右両側に設けた把持部材２２、２２を把持することで、導光板２１に直接手が触れないで着脱作業ができるため、導光板２１に指紋等が付着することを防止でき、導光板２１が光源２４ａによって面発光する際、綺麗に発光することができる。
【００３９】
以上により、本実施形態の遊技機１においては、次のような効果を奏する。
（１）遊技機１を生産拠点から遊技店に搬送するまでの期間、可動演出役物１１のがた付きを抑えるための緩衝材２５を導光板２１の裏側と可動演出役物１１との間の空間に詰め込んだ遊技機１であっても、遊技店において、装飾枠１３を遊技領域４ａに固定したまま、導光板２１を装飾枠１３から取り外すことができるため、緩衝材２５を遊技機１から簡単に取り出すことができる。また、導光板２１を装飾枠１３から取り外すことで、可動演出役物１１の検査、修理、交換等も簡単に行うことができる。
（２）緩衝材２５を遊技機１から取り出した後は、導光板２１を前側から装飾枠１３に対して着脱固定部材２３をもって再び簡単に固定することができる。
（３）装飾枠１３を遊技領域４ａに固定したまま、導光板２１を装飾枠１３に着脱可能であるため、遊技球の流下方向に影響を与える装飾枠１３を遊技領域４ａから取り外す必要がないため、不慣れな作業者による装飾枠１３の誤組付けを防止でき、遊技球の流下方向に悪影響を及ぼすことがない。
（４）導光板２１を遊技盤４に着脱する際、作業者は、把持部材２２を持って導光板２１の表面などに直接触れることなく作業を行うことができるため、導光板２１の表面への指紋の付着を防止でき、導光板２１を綺麗に面発光させることができる。
（５）導光板２１を装飾枠１３から取り外すことで、緩衝材２５を取り出すことができるため、導光板２１の形状、大きさが制限されることがない。これにより、導光板２１を大きくして、迫力ある面発光表示演出を行うことができる。
（６）着脱固定部材２３を、グロメット２３２とスナップピン２３１によって構成したことにより、工具を使用することなく、導光板２１を遊技盤４から簡単に着脱することができる。
（７）把持部材２２、導光板２１の差込孔２１ａ及び着脱固定部材２３を、導光板２１の上端面２１ｂから入光する光源２４ａの光の通過を邪魔しない部位である導光板２１の両側部に設けたことにより、上端面２１ｂから導光板２１に入光する光源２４ａの光が遮られることがないため、導光板２１の表面に意匠をより綺麗に大きく表示させることができる。
【００４０】
以上、本発明の実施形態について説明したが、本発明の趣旨を逸脱しない範囲内で、本実施形態に対して、変形や変更を施すことが可能である。
（ａ）着脱固定部材２３を、スナップラッチに代えてねじとする。要は、導光板２１を装飾枠１３へ着脱可能とする手段は、装飾枠１３を遊技領域４ａに固定したままの状態で、導光板２１を装飾枠１３に対して着脱固定できる構成であれば、どのようなものであってもよい。
（ｂ）把持部材２２及び着脱固定部材２３を、装飾枠１３の装飾と統一感を持たせるような透明材としたり、不透明な材料で模様、彩色等を施してもよい。
（ｃ）緩衝材２５を、緩衝材に代えて、可動演出役物１１に動きを阻止するように駆動機構に着脱可能なピンとする。
（ｄ）光源２４ａの光を導光板２１の左右方向を向く側端面から入光させる。この場合は、把持部材２２及び導光板２１の差込孔２１ａを、光源２４ａの光を遮らない位置として導光板２１の上下端部に設ける。
【符号の説明】
【００４１】
１  遊技機
２  外枠
３  内枠
４  遊技盤
４ａ  遊技領域
５  ガラス枠
５ａ  ガラス板
６  受皿部
７  発射ハンドル
８  スピーカ装置
９  電飾装置
１０  表示装置
１０ａ  表示画面
１１  可動演出役物
１２  ガイドレール
１３  装飾枠
１３ａ  表示窓
１３ｂ  ワープ孔
１３ｃ  ステージ
１３ｄ  右打ち通路
１３ｅ  差込孔
１３ｆ  ボス部
１４  第１始動入賞口
１５  第２始動入賞口
１５ａ  開閉部材
１６  大入賞口
１６ａ  開閉部材
１７  スルーチャッカ
１８  アウト口
２０  導光板ユニット
２１  導光板
２１ａ  差込孔（固定部）
２１ｂ  上端面
２２  把持部材
２２ａ  貫通孔
２３  着脱固定部材（スナップラッチ）
２３１  スナップピン
２３１ａ  軸部
２３１ｂ  摘み部
２３２  グロメット
２３２ａ  筒部
２３２ｂ  鍔部
２４  光源基板
２４ａ  光源（ＬＥＤ）
２５  緩衝材（がた止め部材、所定部材）
３０  セット板
【図１】
2017055784.tif 000003
【図２】
2017055784.tif 000004
【図３】
2017055784.tif 000005
【図４】
2017055784.tif 000006
【図５】
2017055784.tif 000007
【図６】
2017055784.tif 000008
【図７】
2017055784.tif 000009